(57)【要約】      （修正有）【課題】照明カバーを保守点検作業の妨げにならない形状としたマンコンベア用スカートガード照明装置を提供する。【解決手段】スカートガード照明装置１０は、スカートガードパネル２上端部に連続して固定した光透過板３と、光透過板３の上端部に挿入し、内レッジと連結する連結部材４と、光透過板３の内部に配置した光源７と、光源７を収納する照明ケース６と、照明ケース６の上部に固定し光源７の光漏れを防ぐ照明カバー１８で構成され、前記光源７を、光透過板３より下方へずらした位置に配置し、照明カバー１８を、光源７から発せられる光を反射させて光透過板３の方向へ導くように構成した。【選択図】図１
2011063386.tif 000002
【特許請求の範囲】
【請求項１】
利用客を乗せ無端状に連結して走行する踏段と、該踏段の側面に立設されるスカートガードパネルと、踏段の両側に立設される欄干と、該欄干を構成する側面パネルとスカートガードパネルとの間に配置される内レッジと、スカートガード照明装置とを備えるマンコンベアにおいて、
スカートガード照明装置は、スカートガードパネル上端部に連続して固定した光透過板と、光透過板の上端部に挿入し、内レッジと連結する連結部材と、光透過板の内部に配置した光源と、光源を収納する照明ケースと、照明ケースの上部に固定し光源の光漏れを防ぐ照明カバーで構成され、
前記光源を、光透過板より下方へずらした位置に配置し、
照明カバーを、光源から発せられる光を反射させて光透過板の方向へ導くように構成したことを特徴とするマンコンベアのスカートガード照明装置。
【請求項２】
照明カバーが、光源から発せられる光を反射させて光透過板の方向へ導く傾斜面を有することを特徴とする請求項１に記載のマンコンベアのスカートガード照明装置。
【請求項３】
照明カバーが、光源から発せられる光を反射させて光透過板の方向へ導く曲面を有することを特徴とする請求項１に記載のマンコンベアのスカートガード照明装置。
【請求項４】
照明カバーが、光源から発せられる光を反射させて光透過板の方向へ導く連続した凹凸部を有するを有することを特徴とする請求項１に記載のマンコンベアのスカートガード照明装置。
【請求項５】
照明カバーが、内レッジと一体化したことを特徴とする請求項１に記載のマンコンベアのスカートガード照明装置。
【発明の詳細な説明】
【技術分野】
【０００１】
本発明は、エスカレータや動く歩道等のマンコンベアに装備されるスカートガードに装備される照明装置に関する。
【背景技術】
【０００２】
従来、マンコンベアのスカートガード照明装置の構造については、下記特許文献１に示される技術が知られている。図６〜図１０はこの従来のスカートガード照明装置１００の構造を示す。図６はエスカレータの全体の概要を示す側面図であり、そのＡ−Ａ線断面である図７におけるＢ部を拡大した図８に示されるように、１０１は踏段であり、１０２は踏段１０１の側面に立設されたスカートガードパネルであり、１０３は光透過性のアクリル製カバーである。１０４はアクリル製カバー１０３に対する連結部材であるアルミニウム製目地であり、該アルミニウム製目地１０４は、欄干を構成するガラスパネル１１３より踏段側に下方に傾斜しつつ延設された内レッジ１０５に連結している。１０６は断面角型をなす照明ケースであって、スカートガードパネル１０２側に接続しアクリル製カバー１０３から光が透過するように低く形成した前垂直壁１０６ａと底板１０６ｂと後壁をなす高い後垂直壁１０６ｃとから構成され、照明ケース１０６の内部には光源である蛍光灯１０７が収納され、前記照明ケース１０６の上方開口部には蓋板となるＬ字型の照明カバー１０８が嵌め込まれている。そして、これらスカートガードパネル１０２、アクリル製カバー１０３、アルミニウム製目地１０４、内レッジ１０５、照明ケース１０６、蛍光灯１０７、照明カバー１０８は、いずれも踏段１０１の進行方向に連続して構成されている。なお、欄干を支持する一体支え１０９、トラス梁１１０、ガラスパネル受け１１１は踏段１０１の進行方向に断続的に配置してある。図９は、図８において、断続的に配置している一体支え１０９、トラス梁１１０、ガラスパネル受け１１１を避けた部分の断面図であり、図９に示す状態から内レッジ１０５を取り外すと図１０に示す状態となる。
【先行技術文献】
【特許文献】
【０００３】
【特許文献１】特開２００８−２４４９８号公報
【発明の概要】
【発明が解決しようとする課題】
【０００４】
上記した特許文献１に代表される従来の構造では、スカートガード照明装置１００を設けたことによって、スカートガード内部の装置を保守点検する際に保諸点検作業の妨げとなる問題点がある。すなわち、スカートガード照明装置１００の蛍光灯１０７が踏段方向へ光を照射させるためにアクリル製カバー１０３に対して水平の位置に配置されており、そのため、照明ケース１０６の蓋となる照明カバー１０８がスカートガード内側において上方に突出することになるので、内レッジ１０５を取り外して保守点検作業を行う際に、図１０に示す状態において、手摺ベルト１１２等の保守点検は、照明カバー１０８とガラスパネル１１３の間の狭い隙間Ｓに手を入れて行うことになり、作業性が悪いというのが現状である。
【０００５】
本発明は、上記課題を解決するために、スカートガード照明装置における照明カバーを保守点検作業の妨げにならない形状とすることにある。
【課題を解決するための手段】
【０００６】
本発明に係るマンコンベア用スカートガード照明装置は、利用客を乗せ無端状に連結して走行する踏段と、該踏段の側面に立設されるスカートガードパネルと、踏段の両側に立設される欄干と、該欄干を構成する側面パネル、例としてガラスパネルとスカートガードパネルとの間に配置される内レッジと、スカートガード照明装置とを備えるマンコンベアにおいて、スカートガード照明装置は、スカートガードパネル上端部に連続して固定した光透過板、例としてアクリル製カバーと、光透過板の上端部に挿入し、内レッジと連結する連結部材、例としてアルミニウム製目地と、光透過板の内部に配置した光源、例として蛍光灯やＬＥＤと、光源を収納する照明ケースと、照明ケースの上部に固定し光源の光漏れを防ぐ照明カバーで構成され、前記光源を、光透過板より下方へずらした位置に配置し、照明カバーを、光源から発せられる光を反射させて光透過板の方向へ導くように構成したことを特徴とするものである。すなわち、上記課題を解決するために、本発明は、従来のスカートガード照明装置において、蛍光灯をアクリル製カバーに対して垂直方向に下げた位置に配置し、これにより照明カバーを小型化したことにある。
【０００７】
前記の構成において、照明カバーが、光源から発せられる光を反射させて光透過板の方向へ導く傾斜面を有する構成としてもよい。すなわち、照明カバーに傾斜面を設けることにより、該傾斜面は、光源から発せられる光を反射して光透過板へ導くことで、光透過板から光が踏板方向へ照射される構成とした。このように、照明カバーは光源の光をより多く光透過板から外部へ照射するために傾斜面を設けたため、これにより光源を光透過板から下方にずらした位置に配置しても十分な光量を確保できる。
【０００８】
さらに、照明カバーが、光源から発せられる光を反射させて光透過板の方向へ導く曲面、または、光源から発せられる光を反射させて光透過板の方向へ導く凹凸部を有する構成としてもよく、これらの場合のいずれも照明カバーが傾斜面を有する場合と同様の作用をする。
【０００９】
さらにまた、上記の構成に加え、照明カバーが、内レッジと一体化した構成としてもよい。この場合には、内レッジを取り外すと共に照明カバーも同時に取り外せるので、光源の交換保守を行う際に作業性がよい。
【発明の効果】
【００１０】
以上のように本発明によると、踏段への光の照射量を十分に確保でき、かつ、保守点検の作業性を向上させたスカートガード照明装置を提供できる。
【図面の簡単な説明】
【００１１】
【図１】本発明の実施例１であって、一体支え、トラス梁及びガラスパネル受けがない部分において内レッジを取り外した状態を示す断面図である。
【図２】本発明の実施例２であって、一体支え、トラス梁及びガラスパネル受けがない部分において内レッジを取り外した状態を示す断面図である。
【図３】本発明の実施例３であって、一体支え、トラス梁及びガラスパネル受けがない部分において内レッジを取り外した状態を示す断面図である。
【図４】本発明の実施例４であって、一体支え、トラス梁及びガラスパネル受けがない部分における断面図である。
【図５】本発明の実施例５であって、一体支え、トラス梁及びガラスパネル受けがない部分において内レッジを取り外した状態を示す断面図である。
【図６】従来のエスカレータの全体を示す概略側面図である。
【図７】図６のＡ−Ａ線断面図である。
【図８】図７のＢ部拡大図である。
【図９】図８において、一体支え、トラス梁及びガラスパネル受けがない部分の断面図である。
【図１０】図９において、内レッジを取り外した状態を示す断面図である。
【発明を実施するための形態】
【００１２】
以下、本発明の実施例について、図面を参照して説明する。
【実施例１】
【００１３】
図１は本発明の実施例１に係るスカートガード照明装置１０の構成を示し、図において、１は踏段であり、２は利用客を乗せ無端状に連結して走行する踏段１の側面に立設されているスカートガードパネルであり、３はスカートガードパネル上端部に連続して固定した光透過板であって、該光透過板はアクリル等の光透過性樹脂からなるカバーである。該光透過板３は、その上端部に挿入するアルミニウム製目地等よりなる連結部材４と連結され、該連結部材４は、連結部材４と欄干を構成するガラスパネル等の側面パネル１３との間に配置する踏段側に下方に傾斜しつつ延設された内レッジ（図９における符号１０５）に連結されるようになっている。
【００１４】
６は断面角型なす照明ケースであって、スカートガードパネル２側に接続し光透過板３から光が踏段方向に透過するように低く形成した前垂直壁６ａと底板６ｂと後壁をなす低い後垂直壁６ｃとから構成される。後垂直壁６ｃを低く構成したのは照明ケース６を小型化することに寄与するためである。該照明ケース６の内部には光源として蛍光灯７が、前記光透過板３より垂直方向下方へずらした位置に固定的に収納されている。なお、光源としてＬＥＤ等の他の光源を使用してもよい。前記照明ケース６の上部には、照明ケース６の上方開口部を閉塞して光源の光漏れを防ぐ照明カバー１８が取り付けられている。該照明カバー１８は、蛍光灯７から発せられる光を反射させて光透過板３の方向へ導くように傾斜面１８ａを有している。すなわち、蛍光灯７から発せられた光は照明カバー１８の傾斜面１８ａに反射して光透過板３の方向へ進み、光透過板３を通じて光が踏板１方向へ照射される。このように、照明カバー１８の傾斜面１８ａは蛍光灯７の光を光透過板３から外部へより多く照射するため、これにより蛍光灯７を光透過板３より下方にずらした位置に配置しても十分な光量を確保できる。
【００１５】
本実施例のように、蛍光灯７を光透過板３の側面から下方にずらして配置し、照明ケース６の後垂直壁６ｃを低く形成したことにより、照明ケース６を小型化して照明カバー１８の位置を下げることができる。また、照明ケース６の上方を覆う照明カバー１８が傾斜面１８ａを有する構成としたことにより、蛍光灯７の光を反射させて、光透過板３から踏段方向へ光をより効率的に照射できるスカートガード照明装置１０を設けたことによって、従来、スカートガード内部の装置を保守点検する際に保守点検作業の妨げとなっていたところ、本実施例においては図示するように、照明カバー１８と側面パネル１３の間の隙間Ｓ１が広くなるので、内レッジを取り外して行う手摺ベルト１２等の内部機構の保守点検等の作業が行いやすくなり、作業性が向上する。
【実施例２】
【００１６】
図２は本発明の実施例２に係るスカートガード照明装置２０の構成を示し、実施例１における照明カバー１８の変更例である。したがって、照明カバー１８以外の構成は実施例１と同一の構成であるので、その構成については実施例１の説明及び符号を援用し、本実施例においてはその説明は省略する。
【００１７】
本実施例においては、図２に示すように、照明カバー２８は、蛍光灯７から発せられる光を反射させて光透過板３の方向へ導く曲面２８ａを有している。このように本実施例のスカートガード照明装置２０は、照明カバー２８に曲面２８ａを設けることによって、より一層効率よく光を反射させることができる。
【実施例３】
【００１８】
図３は本発明の実施例３に係るスカートガード照明装置３０の構成を示し、実施例１における照明カバー１８の変更例である。したがって、照明カバー１８以外の構成は実施例１と同一の構成であるので、その構成については実施例１の説明及び符号を援用し、本実施例においてはその説明は省略する。
【００１９】
本実施例においては、図３に示すように、照明カバー３８は、蛍光灯７から発せられる光を反射させて光透過板３の方向へ導く連続した凹凸部３８ａを有している。このように本実施例のスカートガード照明装置３０は、照明カバー３８に凹凸部３８ａを設けることによって、より一層効率よく光を反射させることができる。
【実施例４】
【００２０】
図４は本発明の実施例４に係るスカートガード照明装置４０の構成を示し、実施例１における照明カバー１８及び内レッジの変更例である。したがって、照明カバー１８及び内レッジ以外の構成は実施例１と同一の構成であるので、その構成については実施例１の説明及び符号を援用し、本実施例においてはその説明は省略する。
【００２１】
本実施例においては、図４に示すように、照明カバー４８が、内レッジ４５と一体化したものである。すなわち、内レッジの下端部４５ａと照明カバー４８の上端部４８ａが連結されて、アルミニウム製目地よりなる連結部材４に挿入固定されている。このように本実施例のスカートガード照明装置４０は、内レッジ４５と照明カバー４８とを一体化することにより、蛍光灯７等の光源を交換する際に、その保守作業性を向上させたものである。
【実施例５】
【００２２】
図５は本発明の実施例５に係るスカートガード照明装置５０の構成を示し、実施例１における照明ケース６及び蛍光灯７の変更例である。したがって、照明ケース６及び蛍光灯７以外の構成は実施例１と同一の構成であるので、その構成については実施例１の説明及び符号を援用し、本実施例においてはその説明は省略する。
【００２３】
本実施例においては、図５に示すように、照明ケース５６の後垂直壁５６ｃの下端部が傾斜面５６ｃ’になっている。また、光源としてＬＥＤ５７が使用されており、ＬＥＤ５７はその光の発する方向が後方、すなわち、後垂直壁５６ｃの下端部の傾斜面５６ｃ’に向かって発光するように設置されている。したがって、ＬＥＤ５７から発せられた光は、傾斜面５６ｃ’により反射され、この反射された光は、照明カバー１８の傾斜面１８ａに反射されて光透過板３の方向へ進み、光透過板３を通じて光が踏板１方向へ照射される。なお、ＬＥＤ５７を、その光が発する方向を上方に向けて照明カバー１８の傾斜面１８ａに当たるように設置してもよく、ＬＥＤ５７を光透過板３直近に配置してもよい。但し、ＬＥＤ５７を光透過板３直近に配置した場合には、光透過板３を通じて踏板１方向へ照射される光が不連続になるが、上記のように傾斜面を利用した反射により光を屈曲させれば、ＬＥＤ５７から光透過板３までの距離が長くなり、ＬＥＤといえども若干の光拡散性があるので、その光拡散性により隣接するＬＥＤから発せられる光と交錯して、蛍光灯と同じように連続性のある光を放つことができる。
【符号の説明】
【００２４】
１０……スカートガード照明装置
１……踏段
２……スカートガードパネル
３……光透過板
４……連結部材
６……照明ケース
６ａ…前垂直壁
６ｂ…底板
６ｃ…後垂直壁
７……蛍光灯
１８……照明カバー
１８ａ……傾斜面
１２……手摺ベルト
１３……側面パネル
Ｓ１……隙間
２０……スカートガード照明装置
２８……照明カバー
２８ａ……曲面
３０……スカートガード照明装置
３８……照明カバー
３８ａ……凹凸部
４０……スカートガード照明装置
４５……内レッジ
４５ａ……内レッジの下端部
４８……照明カバー
４８ａ……照明カバーの上端部
５０……スカートガード照明装置
５６……照明ケース
５６ｃ…後垂直壁
５６ｃ’…後垂直壁の傾斜面
５７……ＬＥＤ
【図１】
2011063386.tif 000003
【図２】
2011063386.tif 000004
【図３】
2011063386.tif 000005
【図４】
2011063386.tif 000006
【図５】
2011063386.tif 000007
【図６】
2011063386.tif 000008
【図７】
2011063386.tif 000009
【図８】
2011063386.tif 000010
【図９】
2011063386.tif 000011
【図１０】
2011063386.tif 000012